(57)【要約】  【課題】  ２台の構内交換機に、切替ユニットを介して特定の内線端末および特定の公衆回線を接続可能にし、１台の構内交換機が故障しても、切替ユニットを切り替えて特定の内線端末および特定の公衆回線を他の構内交換機でバックアップし、常に特定の内線端末および特定の公衆回線を用いて通信（通話）の継続が可能な信頼性の高い構内交換システムを提供する。  【解決手段】  マスター構内交換機２と、スレーブ構内交換機３と、バックアップの対象となる特定の内線端末４および切替ユニット５ａと、バックアップの対象となる公衆網ＮＴの特定の公衆回線Ｌ１および切替ユニット５ｂと、マスター構内交換機２とスレーブ構内交換機３を接続して通信（通話）するための回線Ｌａおよび回線Ｌｂとから構成する。【選択図】  図１
2006311043.tif 000002
【特許請求の範囲】
【請求項１】
複数の内線端末を収容するマスター構内交換機と、別の複数の内線端末を収容するスレーブ構内交換機と、前記マスター構内交換機と前記スレーブ構内交換機の相互間を接続する複数の回線と、を備えた構内交換システムにおいて、
前記マスター構内交換機および前記スレーブ構内交換機は、それぞれ特定の公衆回線および特定の内線端末を共通に登録するとともに、切替ユニットの状態を監視し、前記切替ユニットを介して前記特定の公衆回線および前記特定の内線端末を収容可能にすることを特徴とする構内交換システム。
【請求項２】
前記マスター構内交換機および前記スレーブ構内交換機は、それぞれ前記切替ユニットの切替状態を監視し、前記切替ユニットの接続を切り替える監視トランクを備えたことを特徴とする請求項１記載の構内交換システム。
【請求項３】
前記切替ユニットは、常に、前記マスター構内交換機および前記スレーブ構内交換機の前記監視トランクに、前記マスター構内交換機または前記スレーブ構内交換機への接状態を通知することを特徴とする請求項１または請求項２記載の構内交換システム。
【請求項４】
前記マスター構内交換機および前記スレーブ構内交換機は、それぞれ単独で運用していることを特徴とする請求項１、請求項２または請求項３記載の構内交換システム。
【発明の詳細な説明】
【技術分野】
【０００１】
本発明は２台の構内交換機に、切替ユニットを介して接続される内線端末および公衆回線を備えた構内交換システムに係り、特に一方の構内交換機が故障した場合、切替ユニットの接続を切り替え、他方の構内交換機に内線端末および公衆回線を接続換えして、運用を継続可能にする構内交換システムに関する。
【背景技術】
【０００２】
従来の構内交換システムにおいて、構内交換機の制御系を運用系と待機系の２重化構造にし、動作中の運用系が動作不可能な状態に陥った場合、待機系に切り替えて制御系の交換動作を継続するようにしてバックアップを実行するものが知られている。
【０００３】
また、２台の交換機により、常用系交換機と非常用系交換機を構成し、常用系交換機がシステムダウンした際に、非常用系交換機に切り替えた場合であっても、通話中のＩＳＤＮ回線の通話呼を切断することなく、通話呼を維持できる技術が特許文献１に開示されている。
【特許文献１】特開２００１−１０３１５８号公報
【発明の開示】
【発明が解決しようとする課題】
【０００４】
しかしながら、従来技術の交換システムは、常用系交換機に接続される端末装置全てを救済するために、非常用系交換機として常用系交換機と同等の交換設備を必要としなければならず、通常、待機状態の非常用設備を設置するために、二倍のコストを要し、かつ、切替え制御も複雑なものになっていた。
【０００５】
この発明はこのような課題を解決するためになされたもので、その目的は２台の構内交換機を設置する場合でも、一方を常用系、他方を非常用系とした運用は行わず、各々の構内交換機を切替ユニットを介して特定の内線端末および特定の公衆回線を接続可能とし、一方の構内交換機が故障しても、切替ユニットを切り替えて特定の内線端末およ特定の公衆回線を他の構内交換機でバックアップし、常に特定の内線端末および特定の公衆回線を用いて通信（通話）が可能な、構内交換機の運用効率が高く、かつ信頼性の高い構内交換システムを提供することにある。
【課題を解決するための手段】
【０００６】
前記課題を解決するためこの発明に係る構内交換システムは、複数の内線端末を収容するマスター構内交換機と、別の複数の内線端末を収容するスレーブ構内交換機と、マスター構内交換機とスレーブ構内交換機の相互間を接続する複数の回線とを備えた構内交換システムにおいて、マスター構内交換機およびスレーブ構内交換機は、それぞれ特定の公衆回線および特定の内線端末を共通に登録するとともに、切替ユニットの状態を監視し、切替ユニットを介して特定の公衆回線および特定の内線端末を収容可能にすることを特徴とする。
【０００７】
この発明に係る構内交換システムは、複数の内線端末を収容するマスター構内交換機と、別の複数の内線端末を収容するスレーブ構内交換機と、マスター構内交換機とスレーブ構内交換機の相互間を接続する複数の回線とを備えた構内交換システムにおいて、マスター構内交換機およびスレーブ構内交換機は、それぞれ特定の公衆回線および特定の内線端末を共通に登録するとともに、切替ユニットの状態を監視し、切替ユニットを介して特定の公衆回線および特定の内線端末を収容可能にするので、特定の公衆回線および特定の内線端末が収容され、通信（通話）が運用されているマスター構内交換機に故障が発生しても、切替ユニットを切り替えて特定の公衆回線および特定の内線端末をスレーブ構内交換機に収容し、スレーブ構内交換機の支配下で通信（通話）の運用を継続することができる。
【０００８】
また、この発明に係るマスター構内交換機およびスレーブ構内交換機は、それぞれ切替ユニットの切替状態を監視し、切替ユニットの接続を切り替える監視トランクを備えたことを特徴とする。
【０００９】
この発明に係るマスター構内交換機およびスレーブ構内交換機は、それぞれ切替ユニットの切替状態を監視し、切替ユニットの接続を切り替える監視トランクを備えたので、特定の公衆回線および特定の内線端末が収容されている一方の構内交換機（例えば、マスター構内交換機）に故障が発生しても、切替ユニットを切り替えて特定の公衆回線および特定の内線端末を他の構内交換機（例えば、スレーブ構内交換機）に収容し、通信（通話）の運用を継続することができる。
【００１０】
さらに、この発明に係る切替ユニットは、常に、マスター構内交換機およびスレーブ構内交換機の監視トランクに、マスター構内交換機またはスレーブ構内交換機への接続状態を通知することを特徴とする。
【００１１】
この発明に係る切替ユニットは、常に、マスター構内交換機およびスレーブ構内交換機の監視トランクに、マスター構内交換機またはスレーブ構内交換機への接続状態を通知するので、切替状態の通知がない場合、今まで収容されていた一方の構内交換機（例えば、マスター構内交換機）の故障と判断し、直ちに切替ユニットを切り替えて特定の公衆回線および特定の内線端末を他方の構内交換機（例えば、スレーブ構内交換機）に収容することができる。
【００１２】
また、この発明に係るマスター構内交換機およびスレーブ構内交換機は、それぞれ単独で運用していることを特徴とする。
【００１３】
この発明に係るマスター構内交換機およびスレーブ構内交換機は、それぞれ単独で運用しているので、単に一方の構内交換機（例えば、マスター構内交換機）を他方の構内交換機（例えば、スレーブ構内交換機）でバックアップするだけでなく、より多くの公衆回線および内線端末を交換制御することができる。
【発明の効果】
【００１４】
この発明に係る構内交換システムは、複数の内線端末を収容するマスター構内交換機と、別の複数の内線端末を収容するスレーブ構内交換機と、マスター構内交換機とスレーブ構内交換機の相互間を接続する複数の回線とを備えた構内交換システムにおいて、マスター構内交換機およびスレーブ構内交換機は、それぞれ特定の公衆回線および特定の内線端末を共通に登録するとともに、切替ユニットの状態を監視し、切替ユニットを介して特定の公衆回線および特定の内線端末を収容可能にするので、特定の公衆回線および特定の内線端末が収容され、通信（通話）が運用されているマスター構内交換機に故障が発生しても、切替ユニットを切り替えて特定の公衆回線および特定の内線端末をスレーブ構内交換機に収容し、スレーブ構内交換機の支配下で通信（通話）の運用を継続することができ、構内交換機をバックアップして一層の信頼性を高めることができる。
【００１５】
また、この発明に係るマスター構内交換機およびスレーブ構内交換機は、それぞれ切替ユニットの切替状態を監視し、切替ユニットの接続を切り替える監視トランクを備えたので、特定の公衆回線および特定の内線端末が収容されている一方の構内交換機（例えば、マスター構内交換機）に故障が発生しても、切替ユニットを切り替えて特定の公衆回線および特定の内線端末を他の構内交換機（例えば、スレーブ構内交換機）に収容し、通信（通話）の運用を継続することができ、システムの信頼性ならびに利便性をアピールすることができる。
【００１６】
さらに、この発明に係る切替ユニットは、常に、マスター構内交換機およびスレーブ構内交換機の監視トランクに、マスター構内交換機またはスレーブ構内交換機への接続状態を通知するので、切替状態の通知がない場合、今まで収容されていた一方の構内交換機（例えば、マスター構内交換機）の故障と判断し、直ちに切替ユニットを切り替えて特定の公衆回線および特定の内線端末を他方の構内交換機（例えば、スレーブ構内交換機）に収容することができ、システムを停止することなく運用を継続することができる。
【００１７】
また、この発明に係るマスター構内交換機およびスレーブ構内交換機は、それぞれ単独で運用しているので、単に一方の構内交換機（例えば、マスター構内交換機）を他方の構内交換機（例えば、スレーブ構内交換機）でバックアップするだけでなく、より多くの公衆回線および内線端末を交換制御することができ、複数の構内交換機を効率良く稼動させるとともに、特定の内線端末による通話を確保することができる。
【発明を実施するための最良の形態】
【００１８】
以下、この発明の実施の形態を添付図面に基づいて説明する。なお、本発明の基本的な技術思想は、互いに独立して運用している２台の構内交換機でシステムを構築し、一方の構内交換機（例えば、マスター構内交換機またはスレーブ構内交換機）に故障が発生した場合には、他方の構内交換機（例えば、スレーブ構内交換機またはマスター構内交換機）でバックアップして運用を継続するものである。
【００１９】
図１はこの発明に係る構内交換システムの一実施の形態基本ブロック構成図である。本実施の形態では、バックアップの対象となる特定の公衆回線を１本、特定の内線端末を１台で構成した場合について説明する。
【００２０】
図１において、構内交換システム１は、マスター構内交換機２と、スレーブ構内交換機３と、バックアップの対象となる公衆網ＮＴの特定の公衆回線Ｌ１および切替ユニット５ａと、バックアップの対象となる特定の内線端末４および切替ユニット５ｂと、マスター構内交換機２に収容され、バックアップ対象外の内線端末ＥｑX1〜ＥｑXｎと、スレーブ構内交換機３に収容され、バックアップ対象外の内線端末ＥｑY1〜ＥｑYｊと、マスター構内交換機２とスレーブ構内交換機３を接続して通信（通話）するための回線Ｌａおよび回線Ｌｂとから構成する。
【００２１】
マスター構内交換機２は、通話路を形成する通話路スイッチ６、内線端末ＥｑX1〜ＥｑXｎを収容する内線トランクＬNX1〜ＬNXｎ、切替ユニット５ｂの接点ｄを収容する内線トランクＬX、切替ユニット５ｂの切替状態を監視する監視トランクＴW3、切替ユニット５ａの接点ａを収容する局線トランクＴRX、切替ユニット５ａの切替状態を監視する監視トランクＴW1、回線Ｌａおよび回線Ｌｂをそれぞれ収容する回線トランクＬT1，ＬT3、制御装置７、記憶装置８を備える。
【００２２】
通話路スイッチ６は、内線トランクＬNX1〜ＬNXｎ、内線トランクＬX、監視トランクＴW3、局線トランクＴRX、監視トランクＴW1、回線トランクＬT1，ＬT3と接続し、制御装置７の制御により、相互間の通話路を形成する。
【００２３】
制御装置７は、ＣＰＵ（Central Processing Unit）で構成し、マスター構内交換機２全体の動作を制御する。
【００２４】
記憶装置８は、ＥＥＰＲＯＭやフラッシュメモリなどのメモリで構成し、局データ、制御プログラム、マスター構内交換機２の支配下にある内線端末ＥｑX1〜ＥｑXｎ、特定の内線端末４（いずれも内線番号）、特定の公衆回線Ｌ１（局線番号）などを登録する。なお、制御装置７および記憶装置８は、制御バスＢＵＳａを介して通話路スイッチ６に接続する。
【００２５】
スレーブ構内交換機３は、マスター構内交換機２と同様に、通話路を形成する通話路スイッチ９、内線端末ＥｑY1〜ＥｑYｊを収容する内線トランクＬNY1〜ＬNYｊ、切替ユニット５ｂの接点ｅを収容する内線トランクＬY、切替ユニット５ｂの切替状態を監視する監視トランクＴW4、切替ユニット５ａの接点ｂを収容する局線トランクＴRY、切替ユニット５ａの切替状態を監視する監視トランクＴW2、回線Ｌａおよび回線Ｌｂをそれぞれ収容する回線トランクＬT2，ＬT4、制御装置１０、記憶装置１１を備える。
【００２６】
通話路スイッチ９は、内線トランクＬNY1〜ＬNYｊ、内線トランクＬY、監視トランクＴW4、局線トランクＴRY、監視トランクＴW2、回線トランクＬT2，ＬT4と接続し、制御装置７の制御により、相互間の通話路を形成する。
【００２７】
制御装置１０は、ＣＰＵ（Central Processing Unit）で構成し、スレーブ構内交換機３全体の動作を制御する。
【００２８】
記憶装置１１は、ＥＥＰＲＯＭやフラッシュメモリなどのメモリで構成し、局データ、制御プログラム、スレーブ構内交換機３の支配下にある内線端末ＥｑY1〜ＥｑYｊ、特定の内線端末４（いずれも内線番号）、特定の公衆回線Ｌ１（局線番号）などを登録する。なお、制御装置１０および記憶装置１１は、制御バスＢＵＳｂを介して通話路スイッチ９に接続する。
【００２９】
切替ユニット５ａは、接点ａ、接点ｂおよび共通接点ｃを備え、接点ａをマスター構内交換機２の局線トランクＴRXに接続し、接点ｂをスレーブ構内交換機３の局線トランクＴRYに接続するとともに、共通接点ｃを公衆網ＮＴの特定の公衆回線Ｌ１に接続する。
【００３０】
また、切替ユニット５ａは、マスター構内交換機２の監視トランクＴW1およびスレーブ構内交換機３の監視トランクＴW2に接続し、共通接点ｃを接点ａに接続（マスター構内交換機２側）するか、接点ｂに接続（スレーブ構内交換機３側）するかの切替状態の制御を受ける。これにより、切替ユニット５ａは、公衆網ＮＴのバックアップ対象となる特定の公衆回線Ｌ１をマスター構内交換機２またはスレーブ構内交換機３に収容することになる。
【００３１】
さらに、切替ユニット５ａは、現在の切替状態をマスター構内交換機２の監視トランクＴW1およびスレーブ構内交換機３の監視トランクＴW2に通知する。
【００３２】
システムの起動時、切替ユニット５ａは、共通接点ｃを接点ａに接続（マスター構内交換機２側）し、特定の公衆回線Ｌ１をマスター構内交換機２側に収容し、切替状態がマスター構内交換機２側にあることをマスター構内交換機２の監視トランクＴW1およびスレーブ構内交換機３の監視トランクＴW2に通知するとともに、監視トランクＴW1または監視トランクＴW2から切替ユニットの接続切替えを指示され、何らかの原因（例えば、電源断）で、マスター構内交換機２が故障した場合、共通接点ｃを接点ｂに接続切替えし、特定の公衆回線Ｌ１をスレーブ構内交換機３側に収容し、切替状態がスレーブ構内交換機３側にあることをマスター構内交換機２の監視トランクＴW1およびスレーブ構内交換機３の監視トランクＴW2に通知する。
【００３３】
切替ユニット５ｂは、接点ｄ、接点ｅおよび共通接点ｆを備え、接点ｄをマスター構内交換機２の内線トランクＬXに接続し、接点ｅをスレーブ構内交換機３の内線トランクＬYに接続するとともに、共通接点ｆを特定の内線端末４に接続する。
【００３４】
また、切替ユニット５ｂは、マスター構内交換機２の監視トランクＴW3およびスレーブ構内交換機３の監視トランクＴW4に接続し、共通接点ｆを接点ｄに接続（マスター構内交換機２側）するか、接点ｅに接続（スレーブ構内交換機３側）するかの切替状態の制御を受ける。これにより、切替ユニット５ｂは、バックアップ対象となる特定の内線端末４をマスター構内交換機２またはスレーブ構内交換機３に収容することになる。
【００３５】
さらに、切替ユニット５ｂは、現在の切替状態をマスター構内交換機２の監視トランクＴW3およびスレーブ構内交換機３の監視トランクＴW4に通知する。
【００３６】
システムの起動時、切替ユニット５ｂは、共通接点ｆを接点ｄに接続（マスター構内交換機２側）し、特定の内線端末４をマスター構内交換機２側に収容し、切替状態がマスター構内交換機２側にあることをマスター構内交換機２の監視トランクＴW3およびスレーブ構内交換機３の監視トランクＴW4に通知するとともに、監視トランクＴW3または監視トランクＴW4から切替ユニットの接続切替えを指示され、何らかの原因（例えば、電源断）で、マスター構内交換機２が故障した場合、共通接点ｆを接点ｅに接続切替えし、特定の内線端末４をスレーブ構内交換機３側に収容し、切替状態がスレーブ構内交換機３側にあることをマスター構内交換機２の監視トランクＴW3およびスレーブ構内交換機３の監視トランクＴW4に通知する。
【００３７】
回線Ｌａおよび回線Ｌｂは、それぞれ回線トランクＬT1と回線トランクＬT2、および回線トランクＬT3と回線トランクＬT4を接続し、マスター構内交換機２とスレーブ構内交換機３との間の通信（通話）信号を伝送する。
【００３８】
通常、マスター構内交換機２は、内線端末ＥｑX1〜ＥｑXｎ、特定の内線端末４および公衆網ＮＴの特定の公衆回線Ｌ１を収容して、マスター構内交換機２内の内線通話、スレーブ構内交換機３との内線通話および特定の公衆回線Ｌ１を介した局線通話を単独で運用し、スレーブ構内交換機３は、内線端末ＥｑY1〜ＥｑYｊを収容して、スレーブ構内交換機３内の内線通話およびマスター構内交換機２との内線通話を単独で運用する。
【００３９】
そして、マスター構内交換機２が故障した場合（例えば、電源断）、スレーブ構内交換機３は、内線端末ＥｑY1〜ＥｑYｊ、特定の内線端末４および公衆網ＮＴの特定の公衆回線Ｌ１を収容して、スレーブ構内交換機３内の内線通話および特定の公衆回線Ｌ１を介した局線通話を運用する。
【００４０】
このことにより、バックアップの対象となる特定の内線端末４および特定の公衆回線Ｌ１は、常時、通信（通話）を継続することができるので、システムの信頼性を高めることができる。
【００４１】
このように、この発明に係るマスター構内交換機２およびスレーブ構内交換機３は、それぞれ単独で運用しているので、単に一方の構内交換機（例えば、マスター構内交換機２）を他方の構内交換機（例えば、スレーブ構内交換機３）でバックアップするだけでなく、より多くの公衆回線および内線端末を交換制御することができ、複数の構内交換機を効率良く稼動させるとともに、特定の内線端末による通話を確保することができる。
【００４２】
次に、特定の内線端末４とマスター構内交換機２の内線端末ＥｑX1の内線通話、特定の内線端末４とスレーブ構内交換機３の内線端末ＥｑY1の内線通話について説明する。
【００４３】
図２はこの発明に係る特定の内線端末の第１実施の形態内線通話の経路説明図である。なお、第１実施の形態では、特定の内線端末４がマスター構内交換機２に収容されている場合、マスター構内交換機２の内線端末ＥｑX1が特定の内線端末４を呼び出すケース、およびスレーブ構内交換機３の内線端末ＥｑY1が特定の内線端末４を呼び出すケースの経路について説明する。
【００４４】
このケースでは、切替ユニット５ｂの共通接点ｆが接点ｄに接続されることにより、特定の内線端末４が内線トランクＬXに収容され、特定の内線端末４がマスター構内交換機２の支配下にある。
【００４５】
また、切替ユニット５ｂからマスター構内交換機２の監視トランクＴW3およびスレーブ構内交換機３の監視トランクＴW4に、「マスター構内交換機２側に接続されている」ことが認識できる情報が通知されている。
【００４６】
マスター構内交換機２の内線端末ＥｑX1が特定の内線端末４を呼び出そうとした場合、制御装置7が特定の内線端末４対応の監視トランクＴW3をチェックし、「マスター構内交換機２側に接続されている」ことが判断できるので、自局（マスター構内交換機２）に収容された内線端末として扱い、内線トランクＬXを介してパスＰａの経路（一点鎖線表示）で、特定の内線端末４を呼び出す。
【００４７】
一方、スレーブ構内交換機３の内線端末ＥｑY1が特定の内線端末４を呼び出そうとした場合、制御装置１０が特定の内線端末４対応の監視トランクＴW4をチェックし、「マスター構内交換機２側に接続されている」ことが判断できるので、回線トランクＬT4（または、回線トランクＬT2）を捕捉し、マスター構内交換機２に発信して、マスター構内交換機２の内線トランクＬXを介してパスＰｂの経路（一点鎖線表示）で、特定の内線端末４を呼び出す。
【００４８】
図３はこの発明に係る特定の内線端末の第２実施の形態内線通話の経路説明図である。なお、第２実施の形態では、特定の内線端末４がスレーブ構内交換機３に収容されている場合、マスター構内交換機２の内線端末ＥｑX1が特定の内線端末４を呼び出すケース、およびスレーブ構内交換機３の内線端末ＥｑY1が特定の内線端末４を呼び出すケースの経路について説明する。
【００４９】
このケースでは、切替ユニット５ｂの共通接点ｆが接点ｅに接続されることにより、特定の内線端末４が内線トランクＬYに収容され、特定の内線端末４がスレーブ構内交換機３の支配下にある。
【００５０】
また、切替ユニット５ｂからマスター構内交換機２の監視トランクＴW3およびスレーブ構内交換機３の監視トランクＴW4に、「スレーブ構内交換機３側に接続されている」ことが認識できる情報が通知されている。
【００５１】
スレーブ構内交換機３の内線端末ＥｑY1が特定の内線端末４を呼び出そうとした場合、制御装置１０が特定の内線端末４対応の監視トランクＴW4をチェックし、「スレーブ構内交換機３側に接続されている」ことが判断できるので、自局（スレーブ構内交換機３）に収容された内線端末として扱い、内線トランクＬYを介してパスＰｃの経路（一点鎖線表示）で、特定の内線端末４を呼び出す。
【００５２】
一方、マスター構内交換機２の内線端末ＥｑX1が特定の内線端末４を呼び出そうとした場合、制御装置７が特定の内線端末４対応の監視トランクＴW3をチェックし、「スレーブ構内交換機３側に接続されている」ことが判断できるので、回線トランクＬT3（または、回線トランクＬT1）を捕捉し、スレーブ構内交換機３に発信して、スレーブ構内交換機３の内線トランクＬYを介してパスＰｄの経路（一点鎖線表示）で、特定の内線端末４を呼び出す。
【００５３】
続いて、マスター構内交換機２が動作停止状態（故障）に陥った際に、スレーブ構内交換機３が特定の内線端末４および特定の公衆回線Ｌ１をバックアップし、特定の内線端末４とスレーブ構内交換機３の内線端末ＥｑY1との内線通話、特定の内線端末４と特定の公衆回線Ｌ１を介した公衆網ＮＴとの局線通話について説明する。
【００５４】
図４はこの発明に係る特定の内線端末の第３実施の形態内線通話および局線通話の経路説明図である。なお、第３実施の形態では、特定の内線端末４および特定の公衆回線Ｌ１がスレーブ構内交換機３に収容されている場合、特定の内線端末４がスレーブ構内交換機３の内線端末ＥｑY1を呼び出すケース、および特定の内線端末４が特定の公衆回線Ｌ１を介して公衆網ＮＴを呼び出すケースの経路について説明する。
【００５５】
このケースでは、マスター構内交換機２が動作停止状態（故障）に陥っているため、切替ユニット５ｂの共通接点ｆが接点ｅに接続され、切替ユニット５ａの共通接点ｃが接点ｂに接続されることで、特定の内線端末４が内線トランクＬYに収容され、特定の公衆回線Ｌ１が局線トランクＴRYに収容されることにより、特定の内線端末４および特定の公衆回線Ｌ１がスレーブ構内交換機３の支配下にある。
【００５６】
また、切替ユニット５ａからスレーブ構内交換機３の監視トランクＴW2に、「スレーブ構内交換機３側に接続されている」ことが認識できる情報が通知されているとともに、切替ユニット５ｂからスレーブ構内交換機３の監視トランクＴW4に、「スレーブ構内交換機３側に接続されている」ことが認識できる情報が通知されている。
【００５７】
特定の内線端末４がスレーブ構内交換機３の内線端末ＥｑY1を呼び出そうとして発信した場合、スレーブ構内交換機３の内線トランクＬYを介して発信することで、特定の内線端末４はスレーブ構内交換機３の内線端末として動作するので、パスＰｅの経路（一点鎖線表示）で内線端末ＥｑY1を呼び出す。
【００５８】
一方、特定の内線端末４が公衆網ＮＴへ発信しようとする場合、スレーブ構内交換機３の内線トランクＬYを介して発信し、その後公衆網ＮＴへの発信特番を受信すると、制御装置１０は、捕捉する局線トランクＴRY対応の監視トランクＴW2をチェックし、「スレーブ構内交換機３側に接続されている」ことが判断できるので、局線トランクＴRYを捕捉してパスＰｆの経路（一点鎖線表示）で公衆網ＮＴへ発信する。
【００５９】
図５はこの発明に係る特定の内線端末の第４実施の形態局線通話の経路説明図である。なお、第４実施の形態では、特定の内線端末４および特定の公衆回線Ｌ１がスレーブ構内交換機３に収容されている場合、公衆網ＮＴから特定の公衆回線Ｌ１を介して特定の内線端末４を呼び出すケースの経路について説明する。
【００６０】
このケースでは、マスター構内交換機２が動作停止状態（故障）に陥っているため、切替ユニット５ｂの共通接点ｆが接点ｅに接続され、切替ユニット５ａの共通接点ｃが接点ｂに接続されることで、特定の内線端末４が内線トランクＬYに収容され、特定の公衆回線Ｌ１が局線トランクＴRYに収容されることにより、特定の内線端末４および特定の公衆回線Ｌ１がスレーブ構内交換機３の支配下にある。
【００６１】
また、切替ユニット５ａからスレーブ構内交換機３の監視トランクＴW2に、「スレーブ構内交換機３側に接続されている」ことが認識できる情報が通知されているとともに、切替ユニット５ｂからスレーブ構内交換機３の監視トランクＴW4に、「スレーブ構内交換機３側に接続されている」ことが認識できる情報が通知されている。
【００６２】
公衆網ＮＴから特定の公衆回線Ｌ１を介して着信があると、局線トランクＴRYを経由して制御装置１０が局線着信を検出する。公衆網ＮＴからの着信先が特定の内線端末４である場合、制御装置１０は、特定の内線端末４対応の監視トランクＴW4をチェックし、「スレーブ構内交換機３に接続されている」と判断できるので、内線トランクＬYを介して特定の内線端末４を呼び出す。
【００６３】
このように、この発明に係るマスター構内交換機２およびスレーブ構内交換機３は、それぞれ切替ユニット５ａ、５ｂの切替状態を監視し、切替ユニット５ａ、５ｂの接続を切り替える監視トランクＴW1〜ＴW4を備えたので、特定の公衆回線Ｌ１および特定の内線端末４が収容されている一方の構内交換機（例えば、マスター構内交換機２）に故障が発生しても、切替ユニット５ａ、５ｂを切り替えて特定の公衆回線Ｌ１および特定の内線端末４を他の構内交換機（例えば、スレーブ構内交換機３）に収容し、通信（通話）の運用を継続することができ、システムの信頼性ならびに利便性をアピールすることができる。
【００６４】
また、この発明に係る切替ユニット５ａ、５ｂは、常に、マスター構内交換機２およびスレーブ構内交換機３の監視トランクＴW1〜ＴW4に、マスター構内交換機２またはスレーブ構内交換機３への接続状態を通知するので、切替状態の通知がない場合、今まで収容されていた一方の構内交換機（例えば、マスター構内交換機２）の故障と判断し、直ちに切替ユニット５ａ、５ｂを切り替えて特定の公衆回線Ｌ１および特定の内線端末４を他方の構内交換機（例えば、スレーブ構内交換機３）に収容することができ、システムを停止することなく運用を継続することができる。
【００６５】
なお、本実施の形態では、特定の公衆回線Ｌ１を１本、特定の内線端末４を１台で構成したが、特定の公衆回線は、２本以上であってもよく、特定の内線端末も２台以上であってもよい。
【００６６】
また、マスター構内交換機２の収容する内線端末ＥｑX1〜ＥｑXｎをバックアップ対象とし、スレーブ構内交換機３に内線端末ＥｑY1〜ＥｑYｊを収容せずに、スレーブ構内交換機３をバックアップ専用の構内交換機とし、マスター構内交換機２が動作停止状態（故障）に陥った場合、内線端末ＥｑX1〜ＥｑXｎの全てをスレーブ構内交換機３でバックアップして通信（通話）の運用を継続するようにシステムを構築してもよい。
【００６７】
以上説明したように、この発明に係る構内交換システム１は、複数の内線端末ＥｑX1〜ＥｑXｎを収容するマスター構内交換機２と、別の複数の内線端末ＥｑY1〜ＥｑYｊを収容するスレーブ構内交換機３と、マスター構内交換機２とスレーブ構内交換機３の相互間を接続する複数の回線Ｌａ、Ｌｂとを備えた構内交換システム１において、マスター構内交換機２およびスレーブ構内交換機３は、それぞれ特定の公衆回線Ｌ１および特定の内線端末４を共通に登録するとともに、切替ユニット５ａ、５ｂの状態を監視し、切替ユニット５ａ、５ｂを介して特定の公衆回線Ｌ１および特定の内線端末４を収容可能にするので、特定の公衆回線Ｌ１および特定の内線端末４が収容され、通信（通話）が運用されているマスター構内交換機２に故障が発生しても、切替ユニット５ａ、５ｂを切り替えて特定の公衆回線Ｌ１および特定の内線端末４をスレーブ構内交換機３に収容し、スレーブ構内交換機３の支配下で通信（通話）の運用を継続することができ、構内交換機（例えば、マスター構内交換機2）をバックアップして一層の信頼性を高めることができる。
【産業上の利用可能性】
【００６８】
本発明に係る構内交換システムは、互いに独立して運用している２台の構内交換機でシステムを構築し、一方の構内交換機（例えば、マスター構内交換機またはスレーブ構内交換機）に故障が発生した場合には、他方の構内交換機（例えば、スレーブ構内交換機またはマスター構内交換機）でバックアップして運用を継続するものであり、一時的にも通信（通話）の運用停止ができないあらゆる構内交換システムに適用することができる。
【図面の簡単な説明】
【００６９】
【図１】この発明に係る構内交換システムの一実施の形態基本ブロック構成図
【図２】この発明に係る特定の内線端末の第１実施の形態内線通話の経路説明図
【図３】この発明に係る特定の内線端末の第２実施の形態内線通話の経路説明図
【図４】この発明に係る特定の内線端末の第３実施の形態内線通話および局線通話の経路説明図
【図５】この発明に係る特定の内線端末の第４実施の形態局線通話の経路説明図
【符号の説明】
【００７０】
１    構内交換システム
２，３    構内交換機
４    特定の内線端末
５ａ，５ｂ    切替ユニット
６，９    通話路スイッチ
７，１０    制御装置
８，１１    記憶装置
ＢＵＳａ，ＢＵＳｂ    制御バスＢＵＳ
ＴW1〜ＴW4    監視トランク
ＬT1〜ＬT4    回線トランク
ＴRX，ＴRY    局線トランク
ＬX，ＬY，ＬNX1〜ＬNXｎ，ＬNY1〜ＬNYｊ    内線トランク
ＥｑX1〜ＥｑXｎ，ＥｑY1〜ＥｑYｊ    内線端末
Ｌ１    特定の公衆回線
Ｌａ，Ｌｂ    回線
ＮＴ    公衆網
【図１】
2006311043.tif 000003
【図２】
2006311043.tif 000004
【図３】
2006311043.tif 000005
【図４】
2006311043.tif 000006
【図５】
2006311043.tif 000007